(57)【特許請求の範囲】
【請求項１】
給油エリアに自動車へ燃料油を給油する給油機を設けた給油所において、
前記給油エリアと異なる位置にカーサービスエリアを設け、
該カーサービスエリアに自動車のオイルを交換するオイル交換機を設け、
オイル交換機はハウジング内に新しいエンジンオイルを貯留する新油タンクと、使用済みのオイルを貯留する廃油タンクと、新しいトルコンオイルを貯留する新油タンクを収納し、これらのタンク内のオイルを計量するロードセルを設け、また、各タンクに挿入された配管に、モータに接続されたポンプ、弁を介装し、配管途中に接続されたホースの先端にエンジンオイルノズルとトルコンオイルノズルを接続し、
前記ロードセルからの信号で抜取量、供給量を表示する表示計と、オイル交換のスタート信号を出力するスタート釦と、ノズル近傍に配設され、どちらの油種が選択されたかを示すランプを設け、
また、このオイル交換機は精算手段と、設定手段を屋外データ入出力装置に設け、
該屋外データ入出力装置は設定手段としてオイルの種別を選択したり、供給量を入力するキーボードと、入力データ及び金額を表示する表示器と、この表示器の表示に基づいて精算手段として貨幣を投入する貨幣投入口と、プリペイドカード、クレジットカード等のカードを挿入するカード挿入口とを屋外データ入出力装置の制御装置に接続して設け、
屋外データ入出力装置の制御装置からの許可信号を受けて、選択された油種のランプに点灯信号、点滅信号を出力し、スタート釦からのスタート信号を受けて、弁に開信号を出力し、モータに駆動信号を出力してポンプを回転し、ロードセルから信号により弁に閉信号や開信号を出力するオイル交換制御装置を設け、このオイル交換制御装置により、モータに駆動信号を出力してポンプを逆転してオイルパン内の廃油を廃油タンク内に抜き取り、
ロードセルからの計測信号によりそれ以上の重量変化が無いことが検出されると、ポンプを正転して新油タンク内のエンジンオイルが供給されることを特徴とする給油所。
【発明の詳細な説明】
【０００１】
【発明の属する技術分野】
本発明は、自動車へガソリン等の燃料油を給油する給油所に関するものである。
【０００２】
【従来の技術】
かかる給油所では、給油を目的に来た自動車に１人の作業員が給油作業及び灰皿清掃、窓拭き、マット清掃、あるいはエアー充填等のサービス作業を行っていた。近年の給油所では人手を少なくするために、給油エリアで給油開始時に給油ノズルを自動車の給油口に挿入し、給油終了で給油ノズルを給油機に掛ける給油作業だけを作業員が行い、伝票を持って建物内で行う精算作業及びサービス作業は顧客自身で行う給油所が主流となってきている。
【０００３】
【発明が解決しようとする課題】
しかし、窓拭きや車内のゴミ捨て等は給油中に出来るが、オイル交換のように機器を使用するサービス作業は、前記のような給油所では機器自体が無かったり、有ったとしても給油所の混雑時には他の自動車の出入りの邪魔になる等でオイル交換をする場所が無いため出来ないという不都合がある。
【０００４】
本発明の目的はこのような問題に鑑みてなされたものであって、その目的とするところは、カーサービスエリアを設けて自動車のオイル交換をいつでも行える給油所を提供することにある。
【０００５】
【課題を解決するための手段】
このような問題を解消するために本発明は、給油エリアに自動車へ燃料油を給油する給油機を設けた給油所において、前記給油エリアと異なる位置にカーサービスエリアを設け、該カーサービスエリアに自動車のオイルを交換するオイル交換機を設け、オイル交換機はハウジング内に新しいエンジンオイルを貯留する新油タンクと、使用済みのオイルを貯留する廃油タンクと、新しいトルコンオイルを貯留する新油タンクを収納し、これらのタンク内のオイルを計量するロードセルを設け、また、各タンクに挿入された配管に、モータに接続されたポンプ、弁を介装し、配管途中に接続されたホースの先端にエンジンオイルノズルとトルコンオイルノズルを接続し、前記ロードセルからの信号で抜取量、供給量を表示する表示計と、オイル交換のスタート信号を出力するスタート釦と、ノズル近傍に配設され、どちらの油種が選択されたかを示すランプを設け、また、このオイル交換機は精算手段と、設定手段を屋外データ入出力装置に設け、該屋外データ入出力装置は設定手段としてオイルの種別を選択したり、供給量を入力するキーボードと、入力データ及び金額を表示する表示器と、この表示器の表示に基づいて精算手段として貨幣を投入する貨幣投入口と、プリペイドカード、クレジットカード等のカードを挿入するカード挿入口とを屋外データ入出力装置の制御装置に接続して設け、屋外データ入出力装置の制御装置からの許可信号を受けて、選択された油種のランプに点灯信号、点滅信号を出力し、スタート釦からのスタート信号を受けて、弁に開信号を出力し、モータに駆動信号を出力してポンプを回転し、ロードセルからの信号により弁に閉信号や開信号を出力するオイル交換制御装置を設け、  このオイル交換制御装置により、モータに駆動信号を出力してポンプを逆転し
てオイルパン内の廃油を廃油タンク内に抜き取り、ロードセルからの計測信号によりそれ以上の重量変化が無いことが検出されると、ポンプを正転して新油タンク内のエンジンオイルが供給されることを要旨とするものである。
【０００６】
本発明によれば、給油エリアに自動車へ燃料油を給油する給油機を設けた給油所において、前記給油エリアと異なる位置にカーサービスエリアを設け、該カーサービスエリアに自動車のオイルを交換するオイル交換機を設けたので、オイル交換専用の場所があるため、いつでも作業ができる。また、給油エリアが占領されずにサービス作業が行えるため、給油所の効率化を図ることが出来る。
【０００７】
【発明の実施の形態】
以下、本発明の実施の形態を図面に基づいて説明する。図１は本発明の給油所を示す構成図、図２はオイル交換機と屋外データ入出装置を示す構成図である。
【０００８】
図１に示すように、給油所１の中央部には給油機２が立設されたアイランド３が設けられ、給油機２の前後面にガソリン等の燃料油を自動車に給油する給油エリア４が形成されている。また、給油所１の一方の隅部には給油機２で給油された燃料油の代金を精算する建物５と、他方の隅部には顧客自身が自動車へのサービス作業を行うカーサービスエリア６が設けられている。
【０００９】
図２に示すようにカーサービスエリア６にはエンジンオイルやトルコンオイルを交換するオイル交換機７と、このオイル交換機７を制御する屋外データ入出力装置８がアイランド９上に立設されている。
【００１０】
オイル交換機７は自動車のオイルパンより廃油を抜取り、新油を供給するまでを自動で行うことができ、ハウジング１１内には新しいエンジンオイルを貯留する新油タンク１２と、使用済みのオイルを貯留する廃油タンク１３と、新しいトルコンオイルを貯留する新油タンク１４が収納され、これらのタンク内のオイルはロードセル１５によって計量されている。また、各タンクに挿入された配管１６ａ，１６ｂ、１６ｃにモータＭ１，Ｍ２に接続されたポンプＰ１，Ｐ２、弁１８ａ、１８ｂ、１８ｃ、１８ｄを介装して、配管１６ａ，１６ｂ、１６ｃ途中に接続されたホース１７ａ，１７ｂの先端にエンジンオイルノズル１９とトルコンオイルノズル２０が接続されている。
【００１１】
さらに、ロードセル１５から抜取量、供給量を表示する表示計２１と、オイル交換のスタート信号を出力するスタート釦２２ａ、２２ｂと、ノズル近傍に配設され、どちらの油種が選択されたかを示すランプ２３ａ、２３ｂと、これら各機器に接続されたオイル交換制御装置２４が設けられている。
【００１２】
屋外データ入出力装置８は設定手段としてオイルの種別を選択したり、供給量を入力するキーボード３１と、入力データ及び金額を表示する表示器３２と、この表示器３２の表示に基づいて精算手段として貨幣を投入する貨幣投入口３３と、プリペイドカード、クレジットカード等のカードを挿入するカード挿入口３４と、これらの各機器に接続された制御装置３５が設けられている。
【００１３】
次に使用方法について説明する。給油エリア２で給油を終了して建物５内で燃料油の精算を済ませた後に、オイル交換を行うためにカーサービスエリア６に設けたオイル交換機７の前まで自動車を移動する。
【００１４】
顧客は屋外データ入出力装置８に設けたキーボート３１により、例えばエンジンオイルを選択して、新油の供給量を入力する。この入力内容及びこれに掛かる金額が表示器３２に表示され、貨幣又はカードを貨幣投入口３３又はカード挿入口３４に挿入して精算を済ませると、制御装置３５からオイル交換制御装置２４に許可信号が出力される。
【００１５】
オイル交換制御装置２４はこの許可信号を受けて、選択された油種のランプ２３ａに点灯信号を出力する。顧客はランプ２３ａ近傍に設けられたエンジンオイルノズル１９を自動車のオイルパン内に挿入して、スタート釦２２ａを押圧する。スタート釦２２ａからのスタート信号を受けて、オイル交換制御装置２４は弁１８ｂに開信号を出力し、モータＭ１に駆動信号を出力してポンプＰ１を逆転してオイルパン内の廃油を廃油タンク１３内に抜き
取る。ロードセル１５からの計測信号によりそれ以上の重量変化が無いことが検出されると、弁１８ｂに閉信号を出力するとともに、弁１８ａに開信号を出力し、ポンプＰ１を正転して新油タンク１２内のエンジンオイルが供給される。後に、ロードセル１５からの信号で設定量に達すると、オイル交換制御装置２４より一定時間ランプ２３ａに点滅信号が出力されて、エンジンオイル交換の終了を把握できる。トルコンオイルの交換も前記同様に行われる。
【００１６】
本発明は以上の実施例に限定されるものではなく、カーサービスエリア６にサービス作業専用の作業員を配置すれば、女性等の機器操作の不慣れな人へのサービス作業を行うことができ、給油所として油外収益の拡販に繋がる。
【００１７】
【発明の効果】
本発明に係る給油所は以上詳細に述べた如くであって、給油エリアに自動車へ燃料油を給油する給油機を設けた給油所において、前記給油エリアと異なる位置にカーサービスエリアを設け、該カーサービスエリアに自動車のオイルを交換するオイル交換機を設けたので、オイル交換専用の場所があるため、いつでも作業ができる。また、給油エリアが占領されずにサービス作業が行えるため、給油所の効率化を図ることが出来る。
【図面の簡単な説明】
【図１】  本発明の給油所を示す構成図である。
【図２】  オイル交換機と屋外データ入出力装置を示す構成図である。
【図３】  他の実施例を示すオイル交換機を示す構成図である。
【符号の説明】
１  給油所
２  給油機
３  アイランド
４  給油エリア
５  建物
６  カーサービスエリア
７  オイル交換機
８  屋外データ入出力装置
９  アイランド
１１  ハウジング
１２、１４  新油タンク
１３  廃油タンク
１５  ロードセル
１６ａ、１６ｂ、１６ｃ  配管
１７ａ，１７ｂ  ホース
１８ａ，１８ｂ，１８ｃ，１８ｄ  弁
１９  エンジンオイルノズル
２０  トルコンオイルノズル
２１  表示計
２２  スタート釦
２３ａ，２３ｂ  ランプ
２４  オイル交換制御装置
３１  キーボード
３２  表示器
３３  貨幣投入口
３４  カード挿入口
３５  制御装置
Ｍ１，Ｍ２  モータ
Ｐ１，Ｐ２  ポンプ
４１  キーボード
４２  貨幣投入口
４３  カード挿入口
４４  表示器
【図１】
0004061717.tif 000002
【図２】
0004061717.tif 000003
【図３】
0004061717.tif 000004